(57)【要約】      （修正有）【課題】圧力鍋の蓋体のロック操作をワンタッチ式の簡単操作で安全なロック機構であること。【解決手段】本体３の開口部３ａをパッキング４ｂを介して密閉式に開閉でなる蓋体４の表面４ａに金属製のフレ−ム５を一体化してなる、これらの中央に位置して設けたレバ−ハンドル６の回動軸６ａ上の第一歯車７が、それに直交して設けた第二歯車９に減速噛み合い回動伝達し、該第二歯車９は、フレ−ム５の両端部にそれぞれ対で外側に向けて出し入れ移動する金属製板状のロックレバ−１０が、第二歯車９にリンク体１１を介在し、支軸８にて遊合接続することで、レバ−ハンドル６の持ち上げ操作に依って、双方のロックレバ−１０が内側に向け移動し、押し下ａげ操作で、外側に向け移動する事で、ロックレバ−１０の端部１０ａが、本体３の取っ手１２内側側面に設けたロック孔１３に出し入れする事で、本体３開口部３ａに密閉する蓋体４をロックとアンロックを可能にする。【選択図】図１
0003125615.tif 000002
【実用新案登録請求の範囲】
【請求項１】
一般家庭で使用する安全弁（１）と圧力調整具（２）とを装備してなる圧力鍋（Ａ）において、本体（３）の開口部（３ａ）をパッキング（４ｂ）を介して密閉式に開閉でなる蓋体（４）の表面（４ａ）に金属製のフレ−ム（５）を一体化してなるこれらの中央に位置して設けたレバ−ハンドル（６）の回動軸（６ａ）上の第一歯車（７）が、それに直交して設けた第二歯車（９）に減速噛み合い回動伝達し、該第二歯車（９）は、フレ−ム（５）の両端部にそれぞれ対で外側に向けて出し入れ移動する金属製板状のロックレバ−（１０）が、第二歯車（９）にリンク体（１１）を介在し、支軸（８）にて遊合接続することで、レバ−ハンドル（６）の持ち上げ操作に依って、双方のロックレバ−（１０）が内側に向け移動し、押し下げ操作で、外側に向け移動する事で、ロックレバ−（１０）の端部（１０ａ）が、本体（３）の取っ手（１２）内側側面に設けたロック孔（１３）に出し入れ係合する事で、本体（３）開口部（３ａ）を密閉する蓋体（４）をロックとアンロックを可能にし、これらを装備するフレ−ム（５）は蓋体（４）に設けた成形品で、フレ−ム（５）を覆うカバ−付き摘み体（１４）で包み込んで蓋体（４）の表面（４ａ）固着した事を特徴とする、圧力鍋の蓋ロック装置。
【請求項２】
前記するレバ−ハンドル（６）の持ち上げ操作に依って、端部（１０ａ）コの字曲げ部（１０ｃ）のロックレバ−（１０）の、少なくとも対でなるそれらが第二歯車（９）に接続するリンク体（１１）の働きで双方のコの字曲げ部（１０ｃ）が外側に向け移動し、且つ押し下げ操作に依って内側に向け移動する事で、本体（３）開口部（３ａ）の縁折り返し部（３ｂ）を挟着自在にする事で蓋体（４）をアンロックとロックを可能にした事を特徴とする請求項１記載の、圧力鍋の蓋ロック装置。
【請求項３】
前記するフレ−ム（５）面で移動するロックレバ−（１０）が、蓋体（４）閉成体（ロック）で、ロックレバ−（１０）面に開口するストッパ−孔（１０ｂ）とフレ−ムに開口するフレ−ム孔（１５ａ）と摘み体孔（１４ａ）に貫通整合して突き出し自在で成る筒状のレバ−ストッパ−（１５）が本体（３）内部の蒸気圧度合いで浮き（ｂ）沈み自在に兼体（４）に装備し、本体（３）内部の安全低気圧でのみレバ−ストッパ−（１５）がロックレバ−（１０）面のストッパ−孔（１０ｂ）から下部方（ｃ）に自重落下離脱移動することで、ロックレバ−がアンロックに開放自在にしたことを特徴とする請求項１又は２記載の、圧力鍋の蓋ロック装置。
【考案の詳細な説明】
【技術分野】
【０００１】  この考案は、一般家庭で使用する圧力鍋の蓋のロック装置に関するものである。
【背景技術】
【０００２】  この種の従来の技術として一般的に知られる圧力鍋は、本体に蓋体を被せ加熱での料理に本体内部の圧力が高度に上昇して、蓋体に押し圧がかかっても蓋体が本体から外れたり、或いは本体と蓋体の隙間から蒸気が噴出したりしない様に本体にパッキングを介して密閉する蓋体を被せ、双方に設けた凹凸の噛み合いでの左右の回動に依るバヨネット方式に依つて本体に蓋体が密閉される構造である。（図示せず）【０００３】  これらのバヨネット方式は幾つかの課題を残している。即ち本体に蓋体を被せてロック操作時に、蓋体の摘みを握って時計方向に回わすのに、本体を強く押さえて蓋体を回動しない限り、本体が蓋体と同じ方向に付き回りする等の課題や、回動の際蓋体に装着したパッキングが常時押し圧を受けながら滑りを繰り返す事で、頻繁にパッキングのメンテナンスを行わない限り事故を誘発するなどの課題が残る。【０００４】  これらの数々の課題ともなる欠点を解決するのに、図５で述べる正面断面図の様に、特願２００６−１５７０２５圧力調理容器（圧力鍋）の蓋ロック装置が知られる、これらの発明は一般家庭で使用される安全弁１と圧力調整具２とを装備してなる加圧鍋Ａで、本体３の開口部３ａにパッキング３ｂを介して密閉式に開閉する蓋体４の表面４ａに、金属製のフレ−ム５を一体化し、これらのフレ−ム５の中央に位置して設けたレバ−ハンドル６の押し下げａと、持ち上げｂとの回動操作に同期回動するハンドル円板６ｂに、対で設けたリンク体１１を、それに遊合連結してフレ−ム５面上をスライド連動するロックレバ−１０のその端部１０ａ形状、コの字曲げ部１０ｃが、本体３開口部３ａの縁折り返し部３ｂを挟着自在にしている、即ちレバ−ハンドル６操作に依って、蓋体４を本体３にロックとアンロックを可能な構造にする事で、蓋体４の回動でのロックとアンロックに依るバヨネット方式構造での課題を解決した発明を示している。【０００５】  即ち蓋体４を回す事無くロックａとアンロックの操作が出来る事で、本体３に回動力が付加されない安定した操作をレバ−ハンドル６の押し下げａでロックが出来、調理後の蓋体４のアンロック（ロック解除）はレバ−ハンドル６の持ち上げｂのみで行う構成で、更にはパッキング４ｂにかかる付加は押し圧の繰り返しのみで、磨耗を防ぐ構成である。
【考案の開示】
【考案が解決しようとする課題】
【０００６】  しかしながら上記する従来技術の場合、ロック操作においてロックレバ−のコの字曲げ部の出し入れストロ−クを大きくし、本体と蓋体のパッキングを介しての双方の圧縮力を強めるのに、ハンドル円板の回動軸とリンク体の支軸との間隔を大きく広げなければならず、ハンドル円板の径をかなり大きくしない限り、レバ−ハンドルに付加する操作力の低減が出来ない事で、ハンドル円板を大きくしなければならず、必然的に蓋体の厚みが部厚くなり圧力鍋の美観を損なうばかりでなく、蓋体の取り扱いに難があるなどの課題が残る。【０００７】  更に又大型圧力鍋では対でなるロックレバ−から蓋体の外周に均等に４箇所装備でのロックレバ−が望まれるが、ハンドル円板が一方向の出し入れ機構である為４箇所ロックが出来ない等の課題がある。即ちレバ−ハンドルを弱い操作力で、本体と蓋体の隙間に設けたクッシン性のパッキングに強烈な圧縮力を付加出来、且つ薄型仕上げで美観の優れた蓋体でなる圧力鍋の蓋ロック装置が強く要望され居た。
【課題を解決するための手段】
【０００８】  この考案はかかる課題を解決する為に請求項１での考案は、図１で述べる様に、一般家庭で使用する安全弁１と圧力調整具２とを装備してなる圧力鍋Ａでの本体３の開口部３ａをパッキング４ｂを介して密閉式に開閉でなる蓋体４の表面４ａに金属製のフレ−ム５を一体化でなる、これらの中央に位置して設けたレバ−ハンドル６の回動軸６ａ上の第一歯車７が、それに直交して設けた第二歯車９に減速噛み合い回動伝達し、該第二歯車９は、フレ−ム５の両端部にそれぞれ対で外側に向けて出し入れ移動する金属製板状のロックレバ−１０が、第二歯車９にリンク体１１を介在し、支軸８にて遊合接続することで、レバ−ハンドル６の持ち上げ操作に依って、双方のロックレバ−１０が内側に向け移動し、押し下げａ操作で、外側に向け移動する事で、ロックレバ−１０の端部１０ａが、本体３の取っ手１２内側の側面に設けたロック孔１３に出し入れする事で、本体３開口部３ａに密閉する蓋体４をロックとアンロックを可能にし、これらを装備するフレ−ム５はフレ−ム５を覆う樹脂製のカバ−付き摘み体１４で包み込み蓋体４の表面４ａに固着構成とする。【０００９】  そして又、第２項についての考案を図２で述べる様に、前記するレバ−ハンドル６の持ち上げ操作に依って、端部１０ａコの字曲げ部１０ｃのロックレバ−１０の、少なくとも対でなるそれらが第二歯車９に接続するリンク体１１の働きで双方のコの字曲げ部１０ｃが外側に向け移動し、且つ押し下げａ操作に依って内側に向け移動する事で、本体３開口部３ａの全周に設けた縁折り返し部３ｂを挟着自在にする事で蓋体４をアンロックとロックを可能にした構成とする。【００１０】  次ぎに第３項についての考案を図３、図４で述べる様に、前記するフレ−ム５面で移動するロックレバ−１０が、蓋体４閉成体（ロック）で、ロックレバ−１０面に開口するストッパ−孔１０ｂとフレ−ム５に開口するフレ−ム孔１５ａと摘み体孔１４ａに貫通整合して突き出し自在で成る筒状のレバ−ストッパ−１５が本体３の気圧度合に反応し浮きｂ沈みｃ自在に蓋体４に装着し、本体３内部の安全低蒸気圧でのみレバ−ストッパ−１５がロックレバ−１０面のストッパ−孔１０ｂから下部に自重落下し離脱移動することで、ロックレバ−がアンロックに開放自在にした構成とする。
【考案の効果】
【００１１】  本考案は上述の通り構成作用するので次ぎの効果を奏する。即ち請求項１で述べる様に、レバ−ハンドルの回動軸上に設けた第一歯車の歯数を其れに直交して噛み合う第二歯車の歯数より数枚少なくした減速噛み合いにする事で、弱いレバ−ハンドルの回動操作力で数倍のパワ−アップが出来、ロック時に本体と蓋体の間に介在するクッション性のパッキングに強烈な圧縮力を付加出来、且つ蓋体厚みを拡大する事無く、夫々の歯車を任意の好きな減速比を設定する事でレバ−ハンドルの操作角度や操作力を決定出来る、圧力鍋の蓋ロック装置を提供出来る。【００１２】  そして又蓋体に設けたロックレバ−でのロックは、本体取っ手の内側側面に開口するロック孔に出し入れ係合構造の為、差し込み後除々に固めの相互の勘合にする事で、パッキングの圧縮力の最終閉めを最強する事が出来る、圧力鍋の蓋ロック装置を提供出来る。【００１３】  これらのワンタッチでのレバ−ハンドル操作は、レバ−ハンドルの位置確認が一目瞭然で摘み体から飛び出して居る場合はロックの解除を知らせ、摘み体にもぐり込んで、倒れて居る時はロック状態を知らせてくれる、圧力鍋の蓋ロック装置を提供出来る。【００１４】  又請求項２での考案は大型高圧力鍋でのロックレバ−を蓋体外周に四分割装備可能でなる強力な圧縮力を均等にパッキングに付加の出来る、圧力鍋の蓋ロック装置を提供出来る。【００１５】  次ぎに請求項３での考案は、蓋体に装備した棒状のレバ−ストッパ−が、レバ−ハンドルを押し下げによるロック状態では、本体内部の蒸気圧上昇に反応し、レバ−ストッパ−が浮上する事で、ロックレバ−のストッパ−孔に貫通してロックが掛かる為、故意にロックの解除が出来ない安全装置を具備した、圧力鍋の蓋ロック装置を提供出来る。
【考案を実施するための最良の形態】
【００１６】  以下に図示の実施例に基づいて本考案を更に詳細に説明する。即ち図１は本考案での第一実施例に基づく全体を示す一部（摘み体１４）省略での斜視図で、一般家庭で使用する調理用の圧力鍋Ａは安全弁１と圧力調整具２を金属製の蓋体４の表面の一部に装備され、夫々の機能を果たすが、これらの蓋体１は本体３の開口部３ａを耐熱クッション性でＵの字形状で開口部３ａの全周に接合でなるパッキング４ｂを抱き合わせて、双方の間に挟着され圧縮を受けて、双方が開閉自在構成で本体３に蓋体４が被せられる構成である。【００１７】  これらの蓋体４のフラットで成る表面４ａに、薄板金属製のフレ−ム５を溶接或いはリベット等で一体固着するが、これらのフレ−ム５の中央に位置して設けた所定の角度で上下回動する握り易い形状で成るレバ−ハンドル６の回動軸６ａ上の第一歯車７が、それに直交して設けた第二歯車９に減速噛み合い回動伝達し、レバ−ハンドル６の押し下げａと押し上げ回動（上下回動）がフレ−ム５面に回動自在で成る第二歯車９に伝達されるが、これらの夫々の歯車の減速比は特定するもので無く、該第二歯車９は面上に支軸８を介して連結する対で成る板状のリンク体１１を設け、更にこれらがこれまた支軸８にて遊合接続して、出し入れスライド移動する金属製板状のロックレバ−１０がフレ−ム５から離脱する事無く連結されて、レバ−ハンドル６の所定角度での回動が、蓋体４の外側と内側に向け減速スライド変換移動するロックレバ−１０を装備する。【００１８】  この様にレバ−ハンドル６の持ち上げ操作に依って、双方のロックレバ−１０がリンク体１１を介在するリンクモ−ションにて内側に向けスライド移動し、押し下げａ操作で、外側に向けスライド移動する事で、双方のロックレバ−１０の端部１０ａが、本体３と一体化する取っ手１２内側の側面に開口するロック孔１３に出し入れ係合する事で、本体３の開口部３ａに覆い被せ密閉する蓋体４をロックとアンロックを可能にしているが、これらの双方の合わせ目には、蓋体４内面外周に合体してなる耐熱性でＵの字形状のパッキング４ｂが圧縮挟着され、本体内部蒸気圧の高圧に耐え、双方の合わせ目からの蒸気漏れを防止する構成である。【００１９】  これらを装備するフレ−ム５が蓋体４の表面４ａに一体固着されるが、蓋体４の中央に位置して配置するレバ−ハンドル６は蓋体４を握って開閉する摘み体１４（図２参照）の一部に凹状スペ−スで収納状態に構成する合成樹脂製でカバ−付きで成形された摘み体１４は、フレ−ム５を目隠形態に且つ、レバ−ハンドル６と双方のロックレバ−１０の端部１０ａは露出形態にして蓋体４に一体固着された構成である。【００２０】  次ぎに第２図は、本考案での第二実施例に基づく一部断面での要部平面図で、前記するレバ−ハンドル６の所定の角度の持ち上げ操作に依って、ロックレバ−１０の端部１０ａのコの字曲げ部１０ｃが、少なくとも対でなるそれらが第二歯車９面上に支軸８介して遊合接続するリンク体１１の働きで双方のコの字曲げ部１０ｃが外側に向けスライド移動し、本体３と蓋体４とが分離可能にし、且つ押し下げａ操作に依ってそれらが内側に向けスライド移動する事で、本体３開口部３ａの全周に設けた縁折り返し部３��がスライド移動するコの字曲げ部１０ｃに依って挟着自在にする事で、蓋体４をアンロックとロックを可能にした構成で、これらの対で成るロックレバ−１０を蓋体４外周４分割での、大型高圧鍋等に適用は容易である（図示せず）【００２１】  次ぎに第３図は、本考案での第三実施例に基づく一部断面での平面図で、前記するレバ−ハンドル６の所定の角度の持ち上げ操作に依って、ロックレバ−１０の端部１０ａは第二歯車９面上に支軸８介して遊合接続するリンク体１１の働きで内側に向けスライド移動し、本体３と蓋体４とが分離可能な形態で、これらのロックレバ−１０の真下のフレ−ム５に開口するフレ−ム孔１５ａと同軸上に貫通して上下に移動自在で成るレバーストッパー１５が蓋体４に装備され、これらはロックレバー１０が、レバーハンドル６を押し下げ操作で矢印ａ方向にスライド移動が無い限りレバーストッパー１５は自重落下で定位置に押し下げが保持されろ。【００２２】  上記するロックレバー１０は図４で示す様に、レバーハンドル６の操作に依ってそれらが外方ａに向スライド移動する事で、取っ手１２の内側側面に開口するロック孔１３に差し込まれ、蓋体４は本体３のロックされ、蓋体４は取り外す事が出来ない構造で、該ロックレバ−１０の真下のフレーム５のフレーム孔１５ａに貫通するレバ−ストッパー１５が上部に浮上しロックレバ−１０を貫通するためのストッパー孔１０ｂを開口し、更に摘み体１４に開口する摘み体孔１４ａに貫通する事で、本体３に蒸気圧が働き所定の圧力を受け、夫々の孔を貫通することで、ロックレバー１０のスライド移動が阻止される事で、本体３に圧力が低減しない限りレバーハンドル６の押し下げ操作がホールドされ、安全装置の具備した構造とする。
【図面の簡単な説明】
【００２３】
【図１】    本考案に係わる第一実施例での一部省略での全体斜視図である。
【図２】    本考案に係わる第二実施例で一部省略要部断面での正面図である。
【図３】    本考案に係わる第三実施例で一部省略要部断面での正面図である。
【図４】    本考案に係わる第三実施例で一部省略要部断面での正面図である。
【図５】    従来技術で断面での正面図である。
【符号の説明】
【００２４】  １      安全弁
２      圧力調整具
３      本体
３ａ    開口部
３ｂ    縁折り返し部
４      蓋体
４ａ    表面
４ｂ    パッキング
５      フレ−ム
６      レバ−ハンドル
６ａ    回動軸
６ｂ    ハンドル円板
７      第一歯車
８      支軸
９      第二歯車
１０      ロックレバ−
１１      リンク体
１２      取っ手
１３      ロック孔
１４      摘み体
１５      レバ−ストッパ−
１５ａ    フレ−ム孔
【図１】
0003125615.tif 000003
【図２】
0003125615.tif 000004
【図３】
0003125615.tif 000005
【図４】
0003125615.tif 000006
【図５】
0003125615.tif 000007